(57)【要約】【課題】画像圧縮を行う静止画処理装置において、着脱可能な記録媒体の残容量が少ない場合でも、確実に画像記録出来うるようにすることを目的とする。【解決手段】メモリーカード３の残容量を検出する残容量検出部６と基準容量部７からの基準容量値を基に、プログラムを格納するプログラム記憶部５の一部の領域を信号処理部１で圧縮処置された記録データの一時記録領域とすることで、着脱可能な記録媒体の残容量が少ない場合においても確実に撮影可能であり、使用者が常に残容量を確認する煩わしさを回避することが出来る。【選択図】図１Ａ
2006197169.tif 000002
【特許請求の範囲】
【請求項１】
着脱可能な記録媒体と、前記記録媒体に対してデータの記録再生を行う記録再生処理手段と、前記記録再生処理手段を介して前記記録媒体にデジタル画像信号を圧縮して記録、もしくは再生して伸張処理する信号処理手段と、複数の記録モードを設定可能な記録モード設定手段と、本装置全体を制御する制御手段と、前記制御手段のプログラムを格納する不揮発性記憶手段と、前記不揮発性記憶手段の一部を前記信号処理手段からの画像データの一時記録領域として設定する設定手段と、前記記録媒体の残容量を検出する残容量検出手段と、前記残容量検出手段からの残容量値を基に前記設定手段を有効もしくは無効に設定する判断を行う判断手段と、前記不揮発性記憶手段の一時記録領域に記録された画像データを前記記録媒体に転送する転送手段により構成したことを特徴とする静止画処理装置。
【請求項２】
前記判断手段は、前記残容量検出手段からの残容量値と、所定の基準容量値との関係が、残容量値≧所定の基準容量値となる場合に、前記設定手段を有効にするように構成したことを特徴とする請求項１記載の静止画処理装置。
【請求項３】
前記転送手段は、前記設定手段有効後、前記残容量検出手段からの残容量値と前記所定の基準容量値との関係が、残容量値≧所定の基準容量値となる場合に、動作するように構成したことを特徴とする請求項１、２記載の静止画処理装置。
【請求項４】
前記判断手段は、前記残容量検出手段からの残容量値と、前記複数の記録モード設定手段毎に設定された所定の基準容量値との関係が、残容量値≧所定の基準容量値となる場合に、前記設定手段を有効にするように構成したことを特徴とする請求項１記載の静止画処理装置。
【請求項５】
前記転送手段は、前記設定手段有効後、前記残容量検出手段からの残容量値と、複数の記録モード設定手段毎に設定された所定の基準容量値との関係が、残容量値≧所定の基準容量値となる場合に、動作するように構成したことを特徴とする請求項１、４記載の静止画処理装置。
【発明の詳細な説明】
【技術分野】
【０００１】
本発明は、デジタル画像信号を静止画として圧縮し記録処理する際に、不揮発性記録媒体の容量不足を解消するのに好適な静止画処理装置に関するものである。
【背景技術】
【０００２】
近年、静止画処理装置もデジタル方式が主流となっている。例えばスチルカメラ及びビデオカメラ等はデジタル化により、着脱可能なメモリーカード等の不揮発性記録媒体（以下メモリーカードと記載する。）に記録する場合、映像信号をデジタル化しＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式等の高圧縮処理技術を用いて圧縮し、より多くの画像データを記録出来うるようにしている。しかし、上記圧縮処理技術を用いた場合、圧縮前の画像内容（原画の絵柄）によっては圧縮処理後の画像データのサイズが大きくばらつく。このため、圧縮した画像データをメモリーカードに記録する場合、その時点のメモリーカードの残容量によっては圧縮した画像データを記録できない場合が起こりうる。その場合、使用者に警告表示及び警告音を出し画像データの記録中止を促している。（例えば、特許文献１参照。）
又、連写機能を用いて記録したい場合、例えば使用者が１０枚の連写を要望していてもメモリーカードの残容量が１０枚に満たなければ、その連写機能を解除したり、あるいはメモリーカードの残容量枚数のみ連写出来うるように制限を行ったりしている。（例えば、特許文献２参照。）
以上のように、使用者は常にメモリーカードの残容量（記録可能枚数）を意識し、少ない場合は、使用前にメモリーカード内の不要データを削除、あるいはＰＣ（パ−ソナルコンピュータ）等に転送し残容量を多くしたり、又、メモリーカードを交換したりする必要があった。
【特許文献１】特開平１１−３１３７７号公報
【特許文献２】特開２０００−２３６４６３号公報
【発明の開示】
【発明が解決しようとする課題】
【０００３】
解決しようとする問題点は、ＪＰＥＧ等の高圧縮処理技術を用いた静止画処理装置で、着脱可能な不揮発性記録媒体の残容量が少ない場合に、記録できない、あるいは要望枚数記録できない点である。
【０００４】
本発明は上記問題点に鑑み、着脱可能な不揮発性記録媒体の残容量が少ない場合でも、圧縮処理された画像データを確実に記録し、着脱可能な不揮発性記録媒体の有効利用を行う静止画処理装置を提供することを目的とする。
【課題を解決するための手段】
【０００５】
本発明は、着脱可能な記録媒体と、前記記録媒体に対してデータの記録再生を行う記録再生処理手段と、前記記録再生処理手段を介して前記記録媒体にデジタル画像信号を圧縮して記録、もしくは再生して伸張処理する信号処理手段と、複数の記録モードを設定可能な記録モード設定手段と、本装置全体を制御する制御手段と、前記制御手段のプログラムを格納する不揮発性記憶手段と、前記不揮発性記憶手段の一部を前記信号処理手段からの画像データの一時記録領域として設定する設定手段と、前記記録媒体の残容量を検出する残容量検出手段と、前記残容量検出手段からの残容量値を基に前記設定手段を有効もしくは無効に設定する判断を行う判断手段と、前記不揮発性記憶手段の一時記録領域に記録された画像データを前記記録媒体に転送する転送手段により構成し、前記判断手段は、前記残容量検出手段からの残容量値と、所定の基準容量値との関係が、残容量値≧所定の基準容量値となる場合に、前記設定手段を有効にするように構成し、前記転送手段は、前記設定手段有効後、前記残容量検出手段からの残容量値と前記所定の基準容量値との関係が、残容量値≧所定の基準容量値となる場合に、動作するように構成する。又、前記判断手段は、前記残容量検出手段からの残容量値と、前記複数の記録モード設定手段毎に設定された所定の基準容量値との関係が、残容量値≧所定の基準容量値となる場合に、前記設定手段を有効にするように構成し、前記転送手段は、前記設定手段有効後、前記残容量検出手段からの残容量値と、複数の記録モード設定手段毎に設定された所定の基準容量値との関係が、残容量値≧所定の基準容量値となる場合に、動作するように構成する。
【発明の効果】
【０００６】
本発明の静止画処理装置は、着脱可能な記録媒体の残容量を検出する残容量検出部と前記残容量検出部の残容量により、本装置全体を制御する制御部のプログラムを格納する不揮発性記憶部の空き領域に一時的に記録出来うるようにすることで、着脱可能な記録媒体の残容量が少ない場合においても確実に撮影可能である。
【０００７】
又、従来の静止画処理装置に必須な、記録媒体の残容量検出部及び装置全体を制御する制御部のプログラムを格納する不揮発性記憶部の空き領域を利用することで実現可能なことにより、新たな回路を追加することなく、圧縮処理された画像データを確実に記録出来、且つ、記録媒体の容量を無駄なく使用可能な、コストメリットの高い静止画処理装置を提供することができる。
【発明を実施するための最良の形態】
【０００８】
本発明の請求項１〜５に記載の発明は、着脱可能な記録媒体と、前記記録媒体に対してデータの記録再生を行う記録再生処理手段と、前記記録再生処理手段を介して前記記録媒体にデジタル画像信号を圧縮して記録、もしくは再生して伸張処理する信号処理手段と、複数の記録モードを設定可能な記録モード設定手段と、本装置全体を制御する制御手段と、前記制御手段のプログラムを格納する不揮発性記憶手段と、前記不揮発性記憶手段の一部を前記信号処理手段からの画像データの一時記録領域として設定する設定手段と、前記記録媒体の残容量を検出する残容量検出手段と、前記残容量検出手段からの残容量値を基に前記設定手段を有効もしくは無効に設定する判断を行う判断手段と、前記不揮発性記憶手段の一時記録領域に記録された画像データを前記記録媒体に転送する転送手段により構成され、前記判断手段は、前記残容量検出手段からの残容量値と、所定の基準容量値との関係が、残容量値≧所定の基準容量値となる場合に、前記設定手段を有効にするように構成し、前記転送手段は、前記設定手段有効後、前記残容量検出手段からの残容量値と前記所定の基準容量値との関係が、残容量値≧所定の基準容量値となる場合に、動作するように構成する。又、他の方法として、前記判断手段は、前記残容量検出手段からの残容量値と、前記複数の記録モード設定手段毎に設定された所定の基準容量値との関係が、残容量値≧所定の基準容量値となる場合に、前記設定手段を有効に設定し、前記転送手段は、前記設定手段有効後、前記残容量検出手段からの残容量値と、複数の記録モード設定手段毎に設定された所定の基準容量値との関係が、残容量値≧所定の基準容量値となる場合に、動作するように構成する。
【０００９】
以上のような構成により、着脱可能な不揮発性記録媒体の残容量が少ない場合でも、圧縮処理された画像データを確実に記録でき、回路の増加無くすなわちコストアップせずに実現することができる。
【００１０】
（実施の形態１）
図１Ａは、本発明装置の実施の形態１における静止画処理装置の構成を示すブロック図、図１Ｂはモード設定部１０の各操作スイッチ（以下ＳＷと記す）が配置された図である。
【００１１】
同図において、１は入出力端子１３から入力される信号あるいは記録再生処理部２から入力されるデジタル画像信号を、圧縮もしくは伸張処理する信号処理手段である信号処理部である。
【００１２】
３は記録再生処理部２によってデータの記録及び再生処理がされる記録媒体であるメモリーカードで、本実施の形態ではメモリーカードとしたが、媒体の種類はこれに限定されるものではない。
【００１３】
２は記録再生処理手段である記録再生処理部で、メモリーカード３に対しデータの記録再生を行う。
【００１４】
４は本装置全体の制御を行う制御手段である制御部で、後で述べるモード設定部１０に配置されている各種操作ＳＷに応じて、例えば記録・再生のモード切り替え、メニュー設定等による信号処理部１、信号処理部１を介して表示部１２、記録再生処理部２等の制御である。
【００１５】
５は制御部４のプログラムを格納する不揮発性半導体素子（フラッシュメモリ等）を用いた不揮発性記憶手段であるプログラム記憶部である。
【００１６】
６はメモリーカード３の残容量を検出する残容量検出手段である残容量検出部である。
【００１７】
７は１枚記録及び連写記録モード毎に設定された圧縮後の画像データの所定の基準容量（データサイズ）が設定された基準容量部である。
【００１８】
８は判断手段である判断部で、残容量検出部６と基準容量部７とのデータを比較判断し、設定部９に対し有効とするか無効とするかの判断を行う。判断部８が有効時、つまりメモリーカード３の残容量が少ない場合、設定部９はプログラム記憶部５の一部を、信号処理部１で圧縮処理された画像データの一時記録領域として設定する。
【００１９】
１０は記録モード設定手段であるモード設定部で、図１Ｂのように、一枚もしくは連写記録の設定を行う設定ＳＷ、記録時に押す録画ＳＷ、記録及び再生の切り替えを行うモード切り替えＳＷ、表示部１２に表示された各機能選択を行う選択ＳＷ等が配置されている。
【００２０】
１１は信号処理部１のワークメモリ領域として用いる揮発性半導体素子（ＳＤＲＡＭ等）で構成したワークメモリ部である。
【００２１】
１２は液晶等で構成され、入力画像及び再生画像あるいはメモリカード３の残枚数等を表示する表示部である。
【００２２】
１３はデジタル画像信号の入出力端子部である。
【００２３】
以上のように構成された本実施の形態の静止画処理装置について、以下その動作について説明する。なお、今回の説明では記録画素数を６４０×４８０（以下、ＶＧＡと記載する。）で、連写時もＶＧＡで連写枚数は５枚、ＶＧＡ圧縮後の目標容量は１２０ＫＢｙｔｅとして説明する。
【００２４】
図２Ａは一枚記録、図２Ｂは連写記録時の概略動作フロー、図２Ｃは連写記録時の表示仕様の別案である。図２Ａの一枚記録を主に説明し、連写時については一枚記録と異なる内容について説明する。
【００２５】
入出力端子部１３から入力されたデジタル画像信号は、信号処理部１を介して表示部１２に入力信号いわゆるスルー画を表示すると共に、信号処理部１はメモリーカード３に記録可能な枚数いわゆる残枚数も同時に表示部１２に図２Ａの１００のように表示する。残枚数は、制御部４からの情報であり、制御部４は残容量検出部６からのメモリーカード３の残容量と基準容量部７からの一枚記録時の基準容量を取得し、枚数に換算して信号処理部１に情報を送る。
【００２６】
次に、モード設定部１０の録画ＳＷが押されると、制御部４は記録指令と判断し、信号処理部１に入力されているデジタル画像信号をワークメモリ部１１に蓄積する。残枚数が一枚以上の場合は、信号処理部１は蓄像された画像を図２Ａの１０１のように表示部１２の全画面に静止画像として表示すると共に、蓄積された画像信号を圧縮し、目標の記録容量になるように圧縮を行い、記録再生処理部２を介してメモリカード３に記録する。前記フローにより一枚記録時の一連が終了し次の記録に備える。
【００２７】
ここで、残枚数が一枚に満たない場合、蓄積された画像信号を図２Ａの１０２のように６分割の上部中央に表示すると共に、メモリーカード交換等の選択表示を行い使用者が選択表示に対応している間に、一時記録領域に記録する。その後、選択された要求に従い処理を行い、次の記録処理に備える。
【００２８】
次に、連写時であるが、一枚記録時と異なる点は、残枚数が連写枚数以上時、記録時静止画表示では無く、図２Ｂの１５０のようにスルー画表示又、残枚数が連写枚数に満たない場合、図２Ｂの１５１のように連写順番に６分割中の５枚表示を行う点である。
【００２９】
上記のように、残枚数が記録枚数に満たない場合に表示仕様を異ならすことにより使用者に対して異常状態であること、および使用者に対しメモリーカード１３の残容量がほとんど無いことを、視覚的に訴えることができる。又、連写時の残枚数が連写枚数以上時、上記説明ではスルー画のみとしたが図２Ｃの様にスルー画＋静止画とすれば使用者に対し、どのような画像を連写しているかがより明確になる。
【００３０】
図３，４，５は上記内容を詳細に説明したフローチャートであり、このフローチャートを用いて、より詳細に説明を行う。
【００３１】
図３は記録時の全体を示すフローチャート、図４は圧縮処理・各種選択処理のフローチャート、図５は各種選択処理で選択された項目の詳細フローチャートである。
【００３２】
図３において、レジスタＡはプログラム記憶部５の一時領域を使用しているかどうかの使用判別レジスタでレジスタＡ＝１の場合、使用されていることを示す。レジスタＢは記録時の残記録枚数カウンターで一枚記録時はレジスタＢ＝１、連写記録時はレジスタＢ＝５を設定、レジスタＣは一枚記録か連写記録かのモード判別レジスタで一枚記録時はレジスタＣ＝１、連写記録時はレジスタ＝５を設定、レジスタＺは圧縮後の記録容量で本来であればメモリーカード３に記録すべき記録容量を保持するレジスタで一枚記録時は一枚のみの記録容量を、連写時は一枚記録毎に加算し計５枚分の記録容量を保持するレジスタである。
【００３３】
本装置に電源が投入されると、記載はしていないが各種初期設定（例えば、信号処理部１、記録再生処理部２等）と前記レジスタＡ、Ｂ，Ｃ，Ｚをリセット（「０」をセット）する。次に、レジスタＡで使用判別を確認するが、当然のことながら電源投入時は「０」にセットされているので、図３の２０１の処理に進む。次に、メモリーカード３に記録出来うる枚数を、上記にも記載したように残容量検出部６と基準容量部７から取得し、制御部４、信号処理部１を介して表示部１２に残枚数表示を行うと共に、入力画像を表示する。
【００３４】
ここで、基準容量部７の容量は、上記にも記載しているように、目標容量は１２０ＫＢｙｔｅであるが、圧縮時の誤差が必ず発生する。
【００３５】
簡単に説明すると、目標の圧縮容量にするため、記録すべきデータに係数値を掛けているが、１回では目標の圧縮容量にはならず、数回係数値を変えて行っている。このため、時間を長くすれば（圧縮回数を増やせば）誤差も少なくなる。以上のことより、通常圧縮誤差は１０［％］程度である。本装置では基準容量を、目標容量の１０［％］として１３２ＫＢｙｔｅとする。残枚数の算出は、残容量［ＫＢ］÷１３２［ＫＢ］の切り捨て値である。
【００３６】
次に、記録指令（モード設定部１０の録画ＳＷ）が無い場合は、図３の２００に戻り、レジスタＡの確認処理を行う。記録指令があった場合、モード設定部１０の一枚／連写ＳＷ情報を取得し各処理を行う。一枚記録時はレジスタＢ及びＣに「１」をセット、連写記録時はレジスタＢ及びＣに「５」をセットし、残枚数判断により各処理を行う。残枚数が、「残枚数≧１」あるいは「残枚数≧５枚」の場合、図３の２０２の圧縮処理を行いメモリーカード３に記録し、図３の２０３の残記録枚数カウンターであるレジスタＢの確認を行いレジスタＢ＝０の場合は、図３の２００のレジスタＡの確認に戻り、次の処理を行う。
【００３７】
圧縮処理であるが、図４を用いて圧縮処理について説明を行う。入力画像をワークメモリー部１１に取り込み、レジスタＡで使用判別を確認し、その後レジスタＣの確認により一枚記録か連写かの判断後、表示部１２に表示すべき各種処理を行う。例えばレジスタＡ＝１でレジスタＣ＝１の場合、一時領域を使用して一枚記録を行っているので図４の３０１の処理である、ワークメモリー部１１に取り込んだ画像を表示部１２の６分割の上部センターに配置して表示を行う。
【００３８】
次に、圧縮処理をし、一枚処理が終了したことにより、図４の３０２の様に残記録枚数カウンターであるレジスタＢにレジスタ「Ｂ＝Ｂ−１」を設定する。ここで、圧縮処理は一枚記録及び連写記録時の残枚数の過不足に関係なく共通の処理として使用可能なような構成にしている。そのため、図４の３００の様に、初期にレジスタＡの使用判別の判断処理をし、残枚数過不足時の一枚記録と連写記録の判断処理に対応するようにしている。
【００３９】
次に残枚数が不足時について説明する。一枚記録時も連写記録時も残枚数が不足時、図３の２０４の様にプログラム記憶部５の一部の領域を一時記録領域として設定する。具体的には、残容量検出部６からの情報と基準容量部７からの情報を基に判断部８にて、
一枚記録時は、残容量［ＫＢ］≧１３２［ＫＢ］
連写記録時は、残容量［ＫＢ］≧１３２×５［ＫＢ］
の判断を行い、設定部９を有効とするか無効とするかを判断し、設定部９の情報をプログラム記憶部５と制御部４に送出する。例えば、プログラム記憶部５のライトイネーブル端子（ＷＥ）を反転ロジックを介して設定部９と接続することにより、設定部９が有効時Ｈとなりプログラム記憶部５に記録可能となる。制御部４は設定部９からの情報によりプログラム記憶部５の特定アドレスにアクセス可能となる。
【００４０】
制御部４でレジスタＣ値により、レジスタＣ＝１で一枚記録、レジスタＣ＝５で連写記録の判断をしプログラム記憶部５の使用領域を決定する。その後、プログラム記憶部５を一時記録領域として使用することを示すために、図３の２０５の様にレジスタＡ＝１をセットし、圧縮処理を行い一時記録領域に記録し、圧縮後の記録容量をレジスタＺに設定する。
【００４１】
例えば、１３０［ＫＢ］時はレジスタＺ＝８２ｈｅｘ、連写時は５枚連写時の総容量、例えば６３５［ＫＢ］時はレジスタＺ＝２７ｂｈｅｘで設定される。このレジスタＺは、後で述べる各種選択処理時のカード内画像消去及びカード交換時に利用される。この後、レジスタＢにより要望枚数記録されたかの判断、レジスタＢが「０」であるか否かの処理を行い、要望枚数記録されたならば、図３の２０６の様に表示部１２に、前記にも記載したように６分割の画像と各種処理選択の表示を行い、選択された処理に移行する。選択内容は図４の各種選択処理のフローチャートのように、図４の３５０の「カード内画像消去選択」、図４の３５１の「カード交換選択」、図４の３５２の「記録画像消去選択（一時記録領域に記録された画像）」、図４の３５３の「戻る」の５種である。
【００４２】
図６の（ａ）、（ｂ）に各種選択処理時実行時の表示仕様を示す。表示内容は選択項目と一枚記録と連写記録時の６分割時の画像表示であり、一枚記録時の記録画像は図６（ａ）の様に６分割中の上部中央に表示され、連写記録時は図６（ｂ）の様に６分割中の５分割を左上から記録の順番に右に３枚、４枚目を左の下に配置する。又、図６（ａ）、（ｂ）の様に未使用の分割部は、グレーアウトもしくはブルーバック表示としている。
【００４３】
なお、各種選択処理の選択方法は、図１Ｂのモード設定部１０の上下の矢印ＳＷで項目を選択し、設定ＳＷで選択された項目を設定する。設定された項目は図６（ａ）５００、図６（ｂ）５５０の様にグレーアウト、あるいは図６（ａ）、（ｂ）には記載していないが点滅させてもよい。
【００４４】
図４の各種選択処理で、「戻る」が選択されると図３の２００に移行し、レジスタＡ値判断をし、図３の２０７の処理に移行し、表示部１２全体にカード容量不足のメッセージを５秒程度表示し、再び図４の３５０の各種選択処理に移行する。
【００４５】
図５に各種選択処理で各項目が選択された場合のフローチャートを示す。Ｃが「カード内画像消去」選択時、Ｄが「カード交換」時、Ｅが「記録画像消去」選択時である。
【００４６】
まずＣの「カード内画像消去」選択が行われた場合について説明する。「カード内画像消去」が選択されると、制御部４は信号処理部１、記録再生処理部２を介してメモリーカード３から、図５の６００の様に最後に記録された画像から６枚分のデータを表示部１２に６分割表示すると共に、「消去画像選択」、「戻る」の２種の選択表示を行う。又、制御部４はレジスタＺの値を読み込み、枚数に変換し、消去すべき枚数も表示部１２に表示し、図５の６０１の様に使用者に消去画像選択を要求する。使用者が図５の６０２の様に「戻る」を選択した時には、再び図４の３５０の各種選択処理に移行する。消去画像選択時は、モード設定部１０にて消去対象画像を選択する。図５の６０３の様に選択された画像数が記録枚数以上であれば、選択された画像を消去し一時記録領域の画像をメモリーカード３に転送する。又、図５の６０４の様に選択画像数が不足時はメッセージを表示し、消去画像を再度選択するようにしている。図５の６０５でメモリーカード３に転送後、制御部４は判断部８に対し設定部９を無効にするように設定することで、一時記憶領域を解除する。その後、図５の６０６の様にレジスタＡ＝０をセットし、図３の２００に移行し次の記録に備える。
【００４７】
図７（ａ）、（ｂ）にＣの「カード内画像消去」選択時の表示仕様を示す。図７（ａ）が消去選択時、図７（ｂ）が選択消去後に一時記録領域の画像が転送される場合の表示である。図７（ａ）のように消去が選択された画像は枠が追加となり、使用者にどの画像を選択したかが一目でわかるようにしている。図７（ｂ）ではカード内画像が選択消去された後、一時記憶領域中の画像転送の様子を示しており、転送中は枠の点滅と「転送中」なるメッセージの表示を行うようにしている。
【００４８】
Ｄの「カード交換」選択時は、カード交換がなされたか判断し、図５の６５０の様に交換時は、交換されたカードの容量を残容量検出部６、及び制御部４にて取得し、図５の６５１でレジスタＺに保持している一時記録容量以上、残余量≧レジスタＺであれば、図５の６５２の様に一時記録領域の画像を交換されたメモリーカード３に転送し、Ｃのカード内画像消去選択時と同様に制御部４にて判断部８の制御及びレジスタＡの設定を行い、図３の２００に移行し次の記録に備える。
【００４９】
図８（ａ）、（ｂ）、（ｃ）にＤの「カード交換」時の表示仕様を示す。図８（ａ）はカード交換選択時の表示で６分割部はグレーアウト、図８（ｂ）、（ｃ）はカード交換が行われ、残容量が一時記録容量以上の場合で、連写記録時の一時記憶領域の画像を転送中の表示仕様である。転送中は点滅し、転送後はグレーアウトし２枚目以降の転送を行う。なお、何枚目の転送中かも表示するようにしている。
【００５０】
Ｅの「記録画像消去」選択時は、一時記憶領域内の画像を６分割表示し、全て消去と戻るの選択表示も行う。図５の６７０の様に、全て選択消去選択時は前記Ｃの「カード内画像消去」選択時と同様に、制御部４にて判断部８の制御及びレジスタＡ＝１の設定を行い、図３の２００に移行し次の記録に備える。
【００５１】
図９（ａ）、（ｂ）にＥの記録画像消去選択時の表示仕様を示す。図９（ａ）、（ｂ）共に連写時の表示で、図９（ａ）は消去選択の表示で一時記憶領域の記録画像を６分割に表示と、全て消去と戻るの選択表示、図９（ｂ）は全て消去が選択された場合の表示で、消去された画像はグレーアウトし、消去中の画像は枠を点滅させて表示を行うと共に、何枚目の画像が消去されているかの表示も行う。
【００５２】
以上が、残枚数が少ない場合でも確実に、撮りたい画像が取得できる構成の説明である。
【００５３】
（実施の形態２）
実施の形態１と基本的な動作、構成は同じであるが、連写時における基準容量を一枚記録時よりも多くしている点である。前記にも記載したが圧縮後のデータ容量は圧縮時間を長くすれば（圧縮回数を増やせば）誤差は小さくなる。しかし、連写時に時間を長くすることは連写間隔が長くなり好ましくない。そのため、連写時の圧縮誤差は一枚記録時よりも多くなる。実施の形態２は上記点に考慮したものである。
【００５４】
図１０に、実施の形態２のフローチャートを示すが、共通の図面については実施の形態１と同じ図面を用いて説明する。なお、実施の形態１のフローチャートと異なる所は、破線で囲っており、主に変化点を説明する。
【００５５】
初期設定終了後、レジスタＡの設定値を確認後、図１モード設定部１０の一枚もしくは連写記録の設定を行う設定ＳＷの確認を行い、制御部４は基準容量部７からの１枚記録時は１枚記録基準容量を、連写時は連写記録基準容量を取得する。基準容量部７の一枚記録時の容量は、目標容量の１２０［ＫＢ］の１０［％］アップ値である１３２［ＫＢ］、連写記録時の容量は、目標容量の１２０［ＫＢ］の１５［％］アップ値である１３８［ＫＢ］である。次に、レジスタＢ及びＣに一枚記録時は「１」を、連写記録時は「５」を設定し、メモリーカード３の残容量を取得し、残枚数と入力画像を表示部１２に表示する。なお、残枚数計算は実施の形態１と同じで、残容量÷基準容量の切り捨て値である。
【００５６】
次に、記録指令を待ち記録指令が無い場合は、再びレジスタＡの確認を行う。記録指令があった場合は、レジスタＣで一枚記録及び連写記録の確認を行い、実施の形態１と同じ各処理に移行する。実施の形態１とフローチャートで大きく異なる点は、レジスタＡ確認後、実施の形態２は一枚記録及び連写記録の確認を行う点であり、事前に確認し残枚数を表示するためである。
【００５７】
上記実施の形態１、２により、メモリーカード３の残容量が少ない場合でも、確実に使用者が撮りたい画像を撮ることが出来かつ、撮った画像もしくはメモリーカード内の画像を確認後消去選択可能なため、必要な画像のみ残すことができる。又、制御部、残容量検出部、基準容量部、判断部、設定部に関してはマイクロコンピュータで簡単に行うことができるため、本発明を簡単に導入することが可能である。
【産業上の利用可能性】
【００５８】
本発明にかかる静止画処理装置は、着脱可能な不揮発性記録媒体の残容量が少ない場合でも、圧縮処理された画像データを確実に記録することができるため、使用者による残枚数確認の煩わしさを回避する用途に適用可能である。
【図面の簡単な説明】
【００５９】
【図１Ａ】本発明の実施の形態１に於ける静止画処理装置の構成を示したブロック図
【図１Ｂ】本発明の実施の形態１に於けるモード設定部の構成を示す模式図
【図２Ａ】本発明の実施の形態１における概略動作を示すフローチャート
【図２Ｂ】本発明の実施の形態１における概略動作を示すフローチャート
【図２Ｃ】本発明の実施の形態１における動作時の表示状態を示す模式図
【図３】本発明の実施の形態１に於けるフローチャート
【図４】本発明の実施の形態１に於ける圧縮処理と各種選択処理のフローチャート
【図５】本発明の実施の形態１に於ける各種選択処理の各項目のフローチャート
【図６】本発明の実施の形態１に於ける各種選択処理時実行時の表示仕様を示した模式図
【図７】本発明の実施の形態１に於けるカード内画像消去選択時の表示仕様を示した模式図
【図８】本発明の実施の形態１に於けるカード交換時の表示仕様を示した模式図
【図９】本発明の実施の形態１に於ける記録画像消去選択時の表示仕様を示した模式図
【図１０】本発明の実施の形態２に於けるフローチャート
【符号の説明】
【００６０】
１    信号処理部
３    メモリーカード
４    制御部
５    プログラム記憶部
６    残容量検出部
７    基準容量部
８    判断部
９    設定部
１０    モード設定部
１２    表示部
【図１Ａ】
2006197169.tif 000003
【図１Ｂ】
2006197169.tif 000004
【図２Ａ】
2006197169.tif 000005
【図２Ｂ】
2006197169.tif 000006
【図２Ｃ】
2006197169.tif 000007
【図３】
2006197169.tif 000008
【図４】
2006197169.tif 000009
【図５】
2006197169.tif 000010
【図６】
2006197169.tif 000011
【図７】
2006197169.tif 000012
【図８】
2006197169.tif 000013
【図９】
2006197169.tif 000014
【図１０】
2006197169.tif 000015